(57)【特許請求の範囲】
【請求項１】
タイヤ等のゴム材による３０〜１００メッシュ篩下微粒子の３０下〜１０重量％と、成形ポリエチレン又はポリプロピレン材を破砕してなる３〜５ｍｍ篩下凹凸形状粗粒子の７０上〜９０重量％とを混合して１００重量％となし、同混合物を加熱して上記粗粒子のみ溶融し、加圧して射出成形して筒形容器及び密封用蓋を成形し、該筒形容器の外周四方に該容器と同一材料の力条を縦向に一体に形成し、該容器内に廃棄物を充填し、上記密封用蓋で該容器を密封するよう形成してなる廃棄物処分用ブロック。
【請求項２】
上記ゴム材及び成形ポリエチレン又はポリプロピレン材が廃材である請求項１記載の廃棄物処分用ブロック。
【請求項３】
力条の上端に吊上用透孔を形成した請求項１又は２記載の廃棄物処分用ブロック。
【請求項４】
上記容器及び力条の下面に荷役用フォーク挿入溝を形成してなる請求項１、２又は３のいずれかに記載の廃棄物処分用ブロック。
【発明の詳細な説明】
【０００１】
【発明の属する技術分野】
本発明は強度、耐衝撃性及び靭性に富み、成形容易な耐候・耐水性ゴム・合成樹脂複合材料によって成形された容器内に廃棄物を充填密封して処分する処分用ブロックに関するものである。
【０００２】
【従来の技術】
従来、低レベル核廃棄物、毒ガス廃棄物を金属缶内に密封し、地中に埋設した。しかし金属缶は鉄であれば腐蝕して耐用命数が短く内容物を漏出し環境を汚染するという問題がある。
【０００３】
又ステンレス等の高級金属缶では高価であるため廃棄物の密封処分には適さないし、鉄又はステンレスの何れにしても缶の厚さを充分厚くする必要があり、或は塗装するにしても経時変化を逃れ難く、かつ重量大で取扱いが容易ではないという問題があった。
【０００４】
【発明が解決しようとする課題】
本発明は産業又は生活廃棄物やその焼却灰を軽量安価で強度、耐衝撃性及び靭性に富む耐候・耐水性複合材料（特公平３−６０２９５号）による容器内に充填密封し、これを半永久ブロックとして遮断型廃棄物処分方法、土地造成、土地改良等を行い或は魚礁として海中に配設する等に有効に利用することを目的とする。
【０００５】
【課題を解決するための手段】
上記の目的を達成するため本発明は
第１にタイヤ等のゴム材による３０〜１００メッシュ篩下微粒子の３０下〜１０重量％と、成形ポリエチレン又はポリプロピレン材を破砕してなる３〜５ｍｍ篩下凹凸形状粗粒子の７０上〜９０重量％とを混合して１００重量％となし、同混合物を加熱して上記粗粒子のみ溶融し、加圧して射出成形して筒形容器及び密封用蓋を成形し、該筒形容器の外周四方に該容器と同一材料の力条を縦向に一体に形成し、該容器内に廃棄物を充填し、上記密封用蓋で該容器を密封するよう形成してなる廃棄物処分用ブロック、
第２に上記ゴム材及び成形ポリエチレン又はポリプロピレン材が廃材である上記第１発明記載の廃棄物処分用ブロック、
第３に力条の上端に吊上用透孔を形成した上記第１又は第２発明記載の廃棄物処分用ブロック、
第４に上記容器及び力条の下面に荷役用フォーク挿入溝を形成してなる上記第１、第２又は第３発明のいずれかに記載の廃棄物処分用ブロック、
によって構成される。
【０００６】
【発明の実施の形態】
自動車の廃タイヤ等の合成ゴム廃材を裁断又は破砕しさらに粉砕して３０〜１００メッシュ篩にかけ篩下微粒子を貯槽に収容する。一方、電力設備の安全性を高めるため一定期間毎に廃棄されるクランプカバー、絶縁ガード、ポリ管（塩ビ管ではない）、使い古された山積みされたビール・各種清涼飲料用コンテナ、農業・漁業用コンテナ（ポリエチレン、ポリプロピレン廃材）等を破砕機にかけて破砕しこれを３〜５ｍｍ篩にかけて篩下を貯槽に収容する。この３〜５ｍｍの粗粒子には凹凸があって表面は平滑でない。
【０００７】
そして上記ゴムの篩下微粒子３０下〜１０重量％を上記ポリの篩下粗粒子７０上〜９０重量％を配合して１００％となすが上記微粒子約２５重量％、上記粗粒子７５重量％（合計１００％）とするのが最も良い。上記粗粒子７０重量％以下及び上記微粒子３０重量％以上では所期の（黒檀に匹敵する）硬度を発現し得ないし、粗粒子９０％上及び微粒子１０％下では表面性状及び靭性が所期の目的（黒檀に匹敵する表面性状及び靭性）を達成し難いことが判明した。
【０００８】
このような配合比率の上記粗粒子及び微粒子を混合攪拌すると均等に混合し、これを射出成形機の原料供給ホッパーに投入しても上記粗粒子は凹凸形状であるため微粒子との間に滑りを生ずることなく又粗粒子が金属製ホッパーの内面を滑ってゴムの上記微粒子を浮上がらせ粗粒子のみ射出成形機内に進入するという現象は防止され、両粒子は均等割合のまま同ホッパーから射出成形機に供給される。射出成形機のノズルは先端部温度が１３５〜１３０℃、中部で１２３〜１２０℃及び後部で１０５〜１００℃であってこの温度では上記粗粒子のみ溶融し、ゴムで微粒子は溶融せず再加熱して均等に溶融部内に懸架又は架橋する。
【０００９】
上記ノズルから加圧によって射出された材料は再加熱した円筒状金型内に射出成形され、脱型されて雌螺部８を有する黒檀状（ゴム廃材中のカーボンブラックによって黒色を呈する）の円筒容器１が図１、図３に示すように成形され、かつ型枠注入成形によって図１、図３に示す雄螺部９を有する密封用蓋２が成形され、該蓋２の雄螺部９を上記雌螺部８に螺合して図４に示すように円筒容器１の上下面を平坦となし、上記蓋２と円筒容器１との境界部分を加熱溶着１０により密封し、内部に廃棄物３を充填してブロック４を形成する。
【００１０】
円筒状金型の外周四方には、上記材料と同一材料のほぼ２等辺直角３角形の力条５の底辺部分を縦向に加熱溶着して一体となし図１、図２(イ) 図に示すように外周をほぼ４角形となす。
【００１１】
力条５の上端には２個の凹部５’、５’を形成して凹部５’、５’間の隔壁部５”に横向の吊上用透孔６を形成し、該透孔６にクレーンのフックを引掛けてクレーン荷役を行うことができ、かつ力条５及び円筒容器１の底面に図２(ロ) 図に示すように荷役用フォーク挿入用溝７を突起７’によって形成しフォークリフト荷役を行うことができる。
【００１２】
上記ブロック４内には上述のように廃棄物３を充填密封するが廃棄物３には産業廃棄物及び生活廃棄物を含み、感染性廃棄物焼却灰、特定有害産業廃棄物（廃ＰＣＢ等ＰＣＢ汚染物、廃石綿等、有害産業廃棄物・・・水銀、カドミウム、鉛等、鉱さい、燃え殻、媒塵等）その他燃焼灰等すべての廃棄物、低レベル核廃棄物、汚染土壌、客土土壌等が含まれる。
【００１３】
上記ブロック４は地下に層状に並べて埋設し、地上に敷設又は堆積することによって道路覆装板、海底魚礁、ブロック４内充填廃棄物３の量を加減してブロック４の見掛比重を海水の比重と同等又は以下に調整し繋留して中層魚礁として利用することが可能である。
【００１４】
【発明の属する技術分野】
廃棄物３には車や家電又はＯＡ機器等のシュレッダーダストを圧搾・加熱し、該ダスト内の合成樹脂（塩ビ等）を溶融させて固化、成形して上記容器１内に充填することができる。
【００１５】
【発明の効果】
本発明は上述のように構成したので産業、生活廃棄物或は焼却灰を軽量、安価で強度、耐衝撃性及び靭性に富み、かつ耐水、耐候性、耐低温ブロック化し得て、遮断型廃棄物処分方法として用いることができる。又、海底魚介類、海藻がつき易い海中魚礁として再利用し、地球環境の汚染又は有効利用を行い得る効果がある。
【００１６】
又ブロック成形材料は次表に示すように安全性に富み環境衛生不良物を封じ込め、かつクレーン又はフォークリフト等によって容易に敷設、堆積又は埋設荷役に適用し地球環境の改善を容易に行うことができる。
【００１７】
【表１】
0003946349.tif 000002
【図面の簡単な説明】
【図１】本発明の廃棄物処分用ブロックの分解斜視図である。
【図２】  (イ) 図は力条を備えた円筒容器の平面図である。
(ロ) 図は底面図である。
【図３】図２(イ) 図Ａ−Ａ線による縦断面図である。
【図４】図２(ロ) 図Ｂ−Ｂ線による縦断面図である。
【符号の説明】
１      筒形容器
２      密封用蓋
３      廃棄物
４      ブロック
５      力条
６      吊上用透孔
７      荷役用フォーク挿入溝
【図１】
0003946349.tif 000003
【図２】
0003946349.tif 000004
【図３】
0003946349.tif 000005
【図４】
0003946349.tif 000006